(57)【要約】【課題】本発明は、動作支援補助具に関するもので、使い勝手を良くすることを目的とする。【解決手段】動作補助を必要とする使用者が、例えば、靴を履いたり、脱いだりする場合には、座体５を立設体１から水平方向に可動させ、その状態で、前記使用者が座体５に腰をかけ、前記靴を履いたり、脱いだりすることができる。また、その後に、座体５から立ち上がる時には、この座体５を構成する座部７の外周方向の第１の位置に設けた立ち上がり補助部８を持って立ち上がることができる。さらに、立設体１とは対向する第３の位置は、前記立ち上がり補助部８の非設置部としたので、座部７に腰をかけるときに、この立ち上がり補助部８が邪魔にならず、この動作もスムーズに行える。さらにまた、座部７に腰をかけた状態で、立ち上がり補助部８を使う位置に体を動かすには、この座部７を回転、または回動させれば、その動きも簡単に行え、この動作もスムーズに行える。【選択図】図１
2017070439.tif 000002
【特許請求の範囲】
【請求項１】
立設体と、
前記立設体から水平方向に可動自在に配置された座体と、を備え、
前記座体は、
前記立設体から水平方向に可動自在に配置された基体部と、
前記基体部が水平方向に可動された状態で、水平方向に回転自在、または回動自在に配置された座部と、
前記座部が水平方向に配置された状態で、前記座部の外周方向の第１の位置において、前記基体部に固定された立ち上がり補助部と、を有し、
前記座部の外周で、前記立ち上がり補助部が設けられた前記第１の位置と対向する第２の位置、および、前記座部の外周で、前記立設体と対向する第３の位置の各々は、前記立ち上がり補助部の非設置部である
動作支援補助具。
【請求項２】
前記座部の外周で、前記第２の位置には、前記立ち上がり補助部を前記基体部に固定するための取り付け交換部を配置した
請求項１に記載の動作支援補助具。
【請求項３】
前記基体部は板状とし、この板状の前記基体部の中央部には、前記座部を、回転自在、または回動自在に配置した
請求項１または２に記載の動作支援補助具。
【請求項４】
前記基体部が前記立設体から水平方向に可動された状態で、前記座部の外周部を、前記基体部よりも上方に配置した
請求項１から３のいずれか一項に記載の動作支援補助具。
【請求項５】
前記動作支援補助具は、さらに、前記立設体の前記座体よりも下方に配置されるとともに、前記立設体を固定した水平基板体を備え、
前記水平基板体は、前記座体が前記立設体から水平方向に可動された状態で、前記座体の前記座部外周の前記第２の位置の外方、および、前記座体の前記座部の外周の前記第３の位置の外方に延長されるとともに、
前記水平基板体の、前記座部外周の前記第２の位置の外方には、下履表示部を設け、前記座部外周の前記第３の位置の外方には、非下履表示部を設けた
請求項１から４のいずれか一項に記載の動作支援補助具。
【請求項６】
前記水平基板体の、前記下履表示部と前記非下履表示部との間には、前記下履表示部側と、前記非下履表示部側とを分離するエリア分離ラインを設けた
請求項５に記載の動作支援補助具。
【請求項７】
前記水平基板体の、前記エリア分離ラインの前記下履表示部側には下履エリア表示、前記非下履表示部側には非下履エリア表示を設けた
請求項６に記載の動作支援補助具。
【請求項８】
前記水平基板体の、前記下履エリア表示と前記非下履表示部側とは、色様を異ならせた
請求項７に記載の動作支援補助具。
【発明の詳細な説明】
【技術分野】
【０００１】
本発明は、例えば玄関入り口などに設置され、動作補助を必要とする使用者が、靴を履いたり、脱いだりする場合に使用される動作支援補助具に関する。
【背景技術】
【０００２】
従来のこの種の動作支援補助具は、立設体と、この立設体から水平方向に可動自在に配置された座体とを備えた構成となっており、動作補助を必要とする使用者が、靴を履いたり、脱いだりする場合には、座体を立設体から水平方向に可動させ、その状態で、前記使用者が座体に腰をかけ、前記靴を履いたり、脱いだりするようになっている（例えば特許文献１参照）。
【先行技術文献】
【特許文献】
【０００３】
【特許文献１】特開２０１１−１７２７０８号公報
【発明の概要】
【発明が解決しようとする課題】
【０００４】
上記従来例では、動作補助を必要とする使用者が、座体に腰をかけ、前記靴を履いたり、脱いだりした後に、その座体から立ち上がる時には、座った状態で、先ず、体を回し、次に、立設体に手を添えて立ち上がることが必要になり、使い勝手の悪いものであった。
【０００５】
本発明は、このような課題に鑑みてなされたものであり、使い勝手を良くすることができる動作支援補助具を提供することを目的とする。
【課題を解決するための手段】
【０００６】
そして、この目的を達成するために、本発明の一態様に係る動作支援補助具は、立設体と、前記立設体から水平方向に可動自在に配置された座体と、を備え、前記座体は、前記立設体から水平方向に可動自在に配置された基体部と、前記基体部が水平方向に可動された状態で、水平方向に回転自在、または回動自在に配置された座部と、前記座部が水平方向に配置された状態で、前記座部の外周方向の第１の位置において、前記基体部に固定された立ち上がり補助部と、を有し、前記座部の外周で、前記立ち上がり補助部が設けられた前記第１の位置と対向する第２の位置、および、前記座部の外周で、前記立設体と対向する第３の位置の各々は、前記立ち上がり補助部の非設置部であり、これにより所期の目的を達成するものである。
【発明の効果】
【０００７】
本発明の一態様に係る動作支援補助具によれば、使い勝手の良いものとなる。
【図面の簡単な説明】
【０００８】
【図１】本発明の一実施形態にかかる動作支援補助具の斜視図
【図２】同動作支援補助具の平面図
【図３】同動作支援補助具の斜視図
【図４】同動作支援補助具の側面図
【図５】同動作支援補助具の要部拡大断面図
【図６】同動作支援補助具の要部拡大斜視図
【図７】同動作支援補助具の斜視図
【図８】同動作支援補助具の要部拡大斜視図
【図９】同動作支援補助具の斜視図
【図１０】同動作支援補助具の斜視図
【図１１】同動作支援補助具の拡大断面図
【発明を実施するための形態】
【０００９】
以下、本発明の一実施形態を、添付図面を用いて説明する。
【００１０】
（実施の形態）
図１〜図４において、動作支援補助具は立設体１を備えている。この立設体１は、垂直方向に配置された２本の金属製の縦パイプ２と、この縦パイプ２の中部位置を結合した金属製の横パイプ３と、前記縦パイプ２の上面開口部から、上下方向に高さ調整ができる手摺４とにより構成されている。
【００１１】
前記立設体１には、この立設体１から水平方向に可動自在に座体５が配置されている。
【００１２】
この座体５は、図９、図１０の状態から、図１から図４のごとく、前記立設体１から水平方向に可動自在に配置された基体部６と、この基体部６が図１から図４のごとく、水平方向に可動された状態で、水平方向に回転自在、または回動自在に配置された座部７と、この座部７が水平方向に配置された状態で、この座部７の外周方向の第１の位置（例えば室内の奥側の位置）において、前記基体部６に固定された立ち上がり補助部８とを有した構成となっている。
【００１３】
また、図１から図４のごとく、前記座部７の外周で、前記立ち上がり補助部８が設けられた第１の位置の対向する第２の位置（例えば室内の入り口側位置）、および、前記座部７の外周で、前記立設体１とは対向する第３の位置は、前記立ち上がり補助部８の非設置部としている。
【００１４】
各部について、さらに具体的に説明する。
【００１５】
先ず、前記立設体１から水平方向に可動自在に配置された基体部６は、図４〜図９に示すように、縦パイプ２に固定された支持体９に、連結体１０の下部が軸支され、この連結体１０の上部は基体部６に軸支されている。
【００１６】
また、基体部６の後端側（立設体１側）には、図５、図６、図７のように、横パイプ３の下面側に係合する係合片１１を一体化している。
【００１７】
なお、前記座部７の外周で、前記第２の位置（例えば室内の入り口側位置）には、図８に示すように、前記立ち上がり補助部８を基体部６に固定するための貫通孔よりなる取り付け交換部１２を配置している。
【００１８】
すなわち、図１の使用状態では、この図１の右側（立設体１の後方）が壁側になる状態であるが、反対側に壁が存在する場所では、立ち上がり補助部８は図１の位置から取り外し、取り付け交換部１２に移動、取り付けが行えるようになっている。
【００１９】
また、この基体部６は、図１、図２に示されるように板状となっており、この板状基体部６の中央部に、円板状の座部７を、回転自在、または回動自在に配置している。
【００２０】
次に、座部７について説明を行う。
【００２１】
この座部７は、図１、図２に示されるように円板状となっており、その下面には、図５、図１１に示すように、第一受体１３が固定されている。
【００２２】
また、図１１に示すように、基体部６の上面には、第二受体１４が固定されており、これらの第一受体１３、第二受体１４間の最外周よりも少し内側には、複数のベアリング１５が配置されているので、これら複数のベアリング１５によって座部７は、基体部６の上面を回転、または回動することができる構造になっている。
【００２３】
なお、第一受体１３、第二受体１４、基体部６を貫通する軸１６を設けることで、座部７が基体部６から脱落するのを防止している。
【００２４】
座部７は、基体部６の上面を回転、または回動することができる構造になっているが、図３、図４に示すように、座部７が水平状態（座る状態）では、座部７の外周部は、基体部６よりも上方に配置された構成となっている。
【００２５】
すなわち、座部７に座った状態で、体を回すときに、腿の下側が基体部６に触れて、回動抵抗になるのを抑制しようとしているのである。
【００２６】
次に、立設体１の座体５よりも下方に配置されるとともに、この立設体１を固定した水平基板体１７について説明する。
【００２７】
この水平基板体１７は金属板により構成されており、図７のごとく、その上面に立設体１の縦パイプ２がねじ締めにより固定されている。
【００２８】
この水平基板体１７の大きさは、図１、図２からも理解されるように、座体５が立設体１から水平方向に可動された状態で、この座体５の座部７外周の第２の位置の外方（例えば部屋の入り口側）、および、この座体５の座部７の外周の第３の位置（部屋の入り口側と奥側の間の位置）の外方に延長されている。
【００２９】
つまり、水平基板体１７の大きさは、図１、図２に示されるように、座体５よりも大きくなっているということである。
【００３０】
また、図１、図２に示すように、前記水平基板体１７の表面の、前記座部７外周の第２の位置の外方には、例えば靴の絵のような下履表示部１８を設け、また、座部７外周の第３の位置の外方には、例えば、素足の絵のような非下履表示部１９を設けている。
【００３１】
さらに、前記水平基板体１７の、下履表示部１８と非下履表示部１９との間には、前記下履表示部１８側と前記非下履表示部１９側とを分離するエリア分離ライン２０を設けている。
【００３２】
つまり、エリア分離ライン２０の下履表示部１８側は下足エリア、エリア分離ライン２０の非下履表示部１９側は非下足エリアとしているのである。
【００３３】
なお、水平基板体１７の、下足エリアは、下履エリア表示を示すために例えば、明るいグレー色としており、また、非下足エリアは、非下履エリア表示を示すために例えば、濃い茶色としている。
【００３４】
以上の構成において、本実施形態の動作支援補助具を使用しないときには、例えば、玄関内が狭くならないように、前記座体５は、図９、図１０のように、上方に上げられた状態となっている。
【００３５】
なお、この状態では、図６に示す連結体１０の上部を支持、軸支した部分には、例えばカム機構（図示せず）が配置されているので、前記座体５は、図９、図１０のように、上方に上げられた状態で保持されている。
【００３６】
この状態で、使用者が帰宅し、この動作支援補助具を使用する場合には、座体５を、図９、図１０の状態から、図１、図２の状態へと水平方向に押し下げる。
【００３７】
すると、また、基体部６の後端側（立設体１側）に設けた係合片１１が、図６のごとく横パイプ３の下面側に係合し、これにより、座体５は図１、図２のように、水平状態となる。
【００３８】
使用者は、図１の状態で、座体５の座部７に腰を下ろし、その状態で、下履表示部１８部分に靴を脱ぐことになる。
【００３９】
そして、その状態で例えば、座体５の外周部分をつかんで体を非下履表示部１９へと約９０度回転させ、その状態で、立ち上がり補助部８をつかんで起き上がることになる。
【００４０】
座体５の座部７は、この図１、図２の状態にしておいても良いが、玄関内を狭くさせないためには、再び、図９、図１０の状態へと持ち上げることになる。
【００４１】
なお、座体５が図９、図１０の状態へと持ち上がった状態では、立ち上がり補助部８は横パイプ３の外側になる構成となっているので、この図９、図１０の状態への持ち上げは、無理なく行えるようになっている。
【００４２】
また、外出時には、座体５の座部７を、図１、図２の状態に引き下ろし、次に非下履表示部１９で、立ち上がり補助部８をつかみながら、腰を座体５の座部７に下ろし、その後、立ち上がり補助部８などをつかんで体を下履表示部１８側へと回し、ここで靴を履いて、出かけることになる。
【００４３】
以上のごとく、本実施形態では、動作補助を必要とする使用者が、例えば、靴を履いたり、脱いだりする場合には、座体５を立設体１から水平方向に可動させ、その状態で、前記使用者が座体５に腰をかけ、前記靴を履いたり、脱いだりすることができるので、この動作はスムーズに行える。
【００４４】
また、その後に、座体５から立ち上がる時には、この座体５を構成する座部７の外周方向の第１の位置に設けた立ち上がり補助部８を持って立ち上がることができるので、この動作もスムーズに行える。
【００４５】
さらに、この立ち上がり補助部８は、座体５を構成する座部７の外周方向の第１の位置に設けたものであり、立ち上がり補助部８が設けられた第１の位置の対向する第２の位置、および、前記座部７の外周で、前記立設体１とは対向する第３の位置は、前記立ち上がり補助部８の非設置部としたので、座部７に腰をかけるときに、この立ち上がり補助部８が邪魔にならず、この動作もスムーズに行える。
【００４６】
さらにまた、座部７に腰をかけた状態で、立ち上がり補助部８を使う位置に体を動かすには、この座部７を回転、または回動させれば、その動きも簡単に行え、この動作もスムーズに行える。
【００４７】
つまり、各動作がスムーズに行えるので、動作補助を必要とする使用者にとっては使い勝手の良いものとなるのである。
【符号の説明】
【００４８】
１  立設体
５  座体
６  基体部
７  座部
８  立ち上がり補助部
１２  取り付け交換部
１７  水平基板体
１８  下履表示部
１９  非下履表示部
２０  エリア分離ライン
【図１】
2017070439.tif 000003
【図２】
2017070439.tif 000004
【図３】
2017070439.tif 000005
【図４】
2017070439.tif 000006
【図５】
2017070439.tif 000007
【図６】
2017070439.tif 000008
【図７】
2017070439.tif 000009
【図８】
2017070439.tif 000010
【図９】
2017070439.tif 000011
【図１０】
2017070439.tif 000012
【図１１】
2017070439.tif 000013